(57)【特許請求の範囲】
【請求項１】
レンズ組立体を保持するための筒状部を有するレンズホルダと、該レンズホルダに前記筒状部の周囲に位置するように固定された駆動コイルと、該駆動コイルと対向する永久磁石と、内壁に前記永久磁石を備えた外側ヨークと、前記レンズホルダの筒状部の光軸方向両側に設けられ、前記レンズホルダを径方向に位置決めした状態で光軸方向に変位可能に支持する上側弾性部材および下側弾性部材とを備え、前記上側弾性部材及び前記下側弾性部材の各々は、前記レンズホルダに取り付けられた内周側端部と前記外側ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置において、
前記上側弾性部材と前記下側弾性部材は、前記外側ヨークの内部に配置されており、
前記外側ヨークは、前記永久磁石を内壁に備える外筒部と、該外筒部の上端に設けられた外側リング端部とを有し、前記外側リング端部は前記光軸と同心の開口を持ち、
前記外側ヨークには、前記上側弾性部材の前記外周側端部を保持するための保持部材が備えられており、
前記保持部材は、前記外側ヨークの上端角部から内側に凹んだ凹部から成ることを特徴とするレンズ駆動装置。
【請求項２】
前記開口は、カメラモジュールで必要とされる画角から割り出した最小径の孔である、請求項１に記載のレンズ駆動装置。
【請求項３】
前記下側弾性部材の前記外周側端部を、スペーサを介して固定するための内側ヨークを更に有する、請求項１又は請求項２に記載のレンズ駆動装置。
【請求項４】
前記内側ヨークは、
前記外側ヨークの前記外筒部の内壁に下端で取り付けられた内側リング端部と、
該内側リング端部の内側で、前記光軸と平行に垂直上方へ延在する複数の垂直延在部と、
から構成されている、請求項３に記載のレンズ駆動装置。
【請求項５】
前記内側ヨークの前記複数の垂直延在部と前記永久磁石との間に前記駆動コイルが配置されている、請求項４に記載のレンズ駆動装置。
【請求項６】
前記複数の垂直延在部は、前記下側弾性部材の前記外周側端部と前記内周側端部との間の隙間を介して、垂直に上方へ延在している、請求項５に記載のレンズ駆動装置。
【請求項７】
レンズ組立体を保持するための筒状部を有するレンズホルダと、該レンズホルダに前記筒状部の周囲に位置するように固定された駆動コイルと、該駆動コイルと対向する永久磁石と、内壁に前記永久磁石を備えた外側ヨークと、前記レンズホルダの筒状部の光軸方向両側に設けられ、前記レンズホルダを径方向に位置決めした状態で光軸方向に変位可能に支持する上側弾性部材および下側弾性部材とを備え、前記上側弾性部材及び前記下側弾性部材の各々は、前記レンズホルダに取り付けられた内周側端部と前記外側ヨークに取り付けられた外周側端部とを有し、前記駆動コイルに通電することで、前記永久磁石の磁界と前記駆動コイルに流れる電流による磁界との相互作用によって、前記レンズホルダを光軸方向に位置調整可能なレンズ駆動装置において、
前記上側弾性部材と前記下側弾性部材は、前記外側ヨークの内部に配置されており、
前記外側ヨークは、前記永久磁石を内壁に備える外筒部と、該外筒部の上端に設けられた外側リング端部とを有し、前記外側リング端部は前記光軸と同心の開口を持ち、
前記下側弾性部材の前記外周側端部を、スペーサを介して固定するための内側ヨークを更に有し、
前記内側ヨークは、
前記外側ヨークの前記外筒部の内壁に下端で取り付けられた内側リング端部と、
該内側リング端部の内側で、前記光軸と平行に垂直上方へ延在する複数の垂直延在部と、
から構成されており、
前記内側ヨークの前記複数の垂直延在部と前記永久磁石との間に前記駆動コイルが配置されていることを特徴とするレンズ駆動装置。
【請求項８】
前記複数の垂直延在部は、前記下側弾性部材の前記外周側端部と前記内周側端部との間の隙間を介して、垂直に上方へ延在している、請求項７に記載のレンズ駆動装置。
【請求項９】
前記外側ヨークには、前記上側弾性部材の前記外周側端部を保持するための保持部材が備えられている、請求項７に記載のレンズ駆動装置。
【請求項１０】
前記保持部材は、前記外側ヨークの内壁角部に設けられたスペーサから成る、請求項９に記載のレンズ駆動装置。
【発明の詳細な説明】
【技術分野】
【０００１】
本発明はレンズ駆動装置に関し、特に、携帯型小型カメラに用いられるオートフォーカス用レンズ駆動装置に関する。
【背景技術】
【０００２】
カメラ付携帯電話には携帯型小型カメラが搭載されている。この携帯型小型カメラには、オートフォーカス用レンズ駆動装置が用いられる。従来から、種々のオートフォーカス用レンズ駆動装置が提案されている。
【０００３】
例えば、特許文献１（特開２００７−７２２７１号公報）は、駆動用コイルに磁界を印加する磁石からの磁束漏れを少なくして、レンズホルダの駆動効率を向上させることができるとともに、磁束漏れによる他のデバイスへの悪影響を減少させることができるレンズ駆動装置を開示している。この特許文献１に開示されたレンズ駆動装置は、レンズを保持するホルダと、このホルダに装着された環状の駆動コイルと、固定部材側に設けられたヨークと、このヨークの内面側に設けられた磁石と、上記ホルダと上記固定部材とを上記レンズの開口部側である上部側及び上記開口部側とは反対側の下部側にてそれぞれ連結する上部バネ部材及び下部バネ部材とを備える。上記ヨークは、軟鉄等の磁性体から成る断面がコの字型の筒状の上部ヨークと、断面がＬ字型の筒状の下部ヨークとから成る。
【０００４】
この特許文献１では、ヨークは、固定部材によって支持され、かつ固定部材によって覆われている。そして、上部バネ部材及び下部バネ部材は、ヨークと固定部材との間に設けられている。換言すれば、ヨークの外側に、上部バネ部材及び下部バネ部材が配置されている。
【０００５】
【特許文献１】特開２００７−７２２７１号公報（図１、図２）
【発明の開示】
【発明が解決しようとする課題】
【０００６】
前述した特許文献１に開示されたレンズ駆動装置では、ヨークを覆うための固定部材が必要になるので、部品点数が多くなるという問題がある。また、ヨークを固定部材で覆う構造であるため、大型になってしまうという問題もある。
【０００７】
本発明の目的は、部品点数を削減できる、レンズ駆動装置を提供することにある。
【０００８】
本発明の他の目的は、小型化可能な、レンズ駆動装置を提供することにある。
【０００９】
本発明の他の目的は、説明が進むにつれて明らかになるだろう。
【課題を解決するための手段】
【００１０】
本発明の第１の態様によれば、レンズ組立体を保持するための筒状部（１４０）を有するレンズホルダ（１４）と、このレンズホルダに筒状部の周囲に位置するように固定された駆動コイル（１６）と、この駆動コイルと対向する永久磁石（１８）と、内壁に永久磁石を備えた外側ヨーク（２０）と、レンズホルダの筒状部の光軸（Ｏ）方向両側に設けられ、レンズホルダを径方向に位置決めした状態で光軸（Ｏ）方向に変位可能に支持する上側弾性部材（２２）および下側弾性部材（２４）とを備え、上側弾性部材及び下側弾性部材の各々は、レンズホルダ（１４）に取り付けられた内周側端部（２２２；２４２）と外側ヨーク（２０；２０Ａ）に取り付けられた外周側端部（２２４；２４４）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）において、上側弾性部材（２２）と下側弾性部材（２４）は、外側ヨーク（２０）の内部に配置されており、外側ヨーク（２０）は、永久磁石を内壁に備える外筒部（２０２）と、この外筒部の上端に設けられた外側リング端部（２０４）とから構成され、外側リング端部（２０４）は光軸（Ｏ）と同心の開口（２０４ａ）を持ち、外側ヨーク（２０）には、上側弾性部材（２２）の外周側端部（２０４）を保持するための保持部材が備えられており、この保持部材は、外側ヨーク（２０）の上端角部から内側に凹んだ凹部（２０６）から構成されていることを特徴とするレンズ駆動装置が得られる。
【００１１】
上記本発明の第１の態様によるレンズ駆動装置（１０）において、上記開口（２０４ａ）は、カメラモジュールで必要とされる画角から割り出した最小径の孔であることが好ましい。
【００１２】
本発明の第２の態様によれば、レンズ組立体を保持するための筒状部（１４０）を有するレンズホルダ（１４）と、このレンズホルダに筒状部の周囲に位置するように固定された駆動コイル（１６）と、この駆動コイルと対向する永久磁石（１８）と、内壁に永久磁石を備えた外側ヨーク（２０；２０Ａ）と、レンズホルダの筒状部の光軸（Ｏ）方向両側に設けられ、レンズホルダを径方向に位置決めした状態で光軸（Ｏ）方向に変位可能に支持する上側弾性部材（２２）および下側弾性部材（２４）とを備え、上側弾性部材及び下側弾性部材の各々は、レンズホルダ（１４）に取り付けられた内周側端部（２２２；２４２）と外側ヨーク（２０；２０Ａ）に取り付けられた外周側端部（２２４；２４４）とを有し、駆動コイル（１６）に通電することで、永久磁石（１８）の磁界と駆動コイル（１６）に流れる電流による磁界との相互作用によって、レンズホルダ（１４）を光軸（Ｏ）方向に位置調整可能なレンズ駆動装置（１０）において、上側弾性部材（２２）と下側弾性部材（２４）は、外側ヨーク（２０；２０Ａ）の内部に配置されており、外側ヨーク（２０；２０Ａ）は、永久磁石を内壁に備える外筒部（２０２；２０２Ａ）と、この外筒部の上端に設けられた外側リング端部（２０４；２０４Ａ）とから構成され、外側リング端部（２０４；２０４Ａ）は光軸（Ｏ）と同心の開口（２０４ａ）を持ち、下側弾性部材（２４）の外周側端部（２４４）を、スペーサ（２８）を介して固定するための内側ヨーク（３０）を更に有し、内側ヨーク（３０）は、外側ヨーク（２０；２０Ａ）の外筒部（２０２）の内壁に下端で取り付けられた内側リング端部（３０２）と、この内側リング端部の内側で、光軸（Ｏ）と平行に垂直上方へ延在する複数の垂直延在部（３０４）と、から構成され、内側ヨーク（３０）の複数の垂直延在部（３０４）と永久磁石（１８）との間に駆動コイル（１６）が配置されていることを特徴とするレンズ駆動装置が得られる。
上記本発明の第２の態様によるレンズ駆動装置において、複数の垂直延在部（３０４）は、下側弾性部材（２４）の外周側端部（２４４）と内周側端部（２４２）との間の隙間を介して、垂直に上方へ延在する。外側ヨーク（２０；２０Ａ）には、上側弾性部材（２２）の外周側端部（２０４）を保持するための保持部材が備えられてよい。この保持部材は、例えば、外側ヨーク（２０Ａ）の内壁角部に設けられたスペーサ（３４）から構成されて良い。
【００１３】
尚、上記括弧内の参照符号は、理解を容易にするために付したものであり、一例に過ぎず、これらに限定されないのは勿論である。
【発明の効果】
【００１４】
本発明では、上側弾性部材と下側弾性部材とが、外側ヨークの内部に配置されているので、部品点数を削減でき、小型化可能である。
【発明を実施するための最良の形態】
【００１５】
以下、図面を参照して、本発明の実施の形態について説明する。
【００１６】
図１乃至図３を参照して、本発明の一実施の形態によるレンズ駆動装置１０について説明する。図１はレンズ駆動装置１０の外観斜視図であり、図２はレンズ駆動装置１０の断面斜視図であり、図３はレンズ駆動装置１０の分解斜視図である。ここでは、図１乃至図３に示されるように、直交座標系（Ｘ，Ｙ，Ｚ）を使用している。図１乃至図３に図示した状態では、直交座標系（Ｘ，Ｙ，Ｚ）において、Ｘ軸は前後方向（奥行方向）であり、Ｙ軸は左右方向（幅方向）であり、Ｚ軸は上下方向（高さ方向）である。そして、図１乃至図３に示す例においては、上下方向Ｚがレンズの光軸Ｏ方向である。
【００１７】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００１８】
図示のレンズ駆動装置１０は、オートフォーカス可能なカメラ付き携帯電話に備えられる。レンズ駆動装置１０は、レンズ組立体（バレル）（図示せず）を光軸Ｏ方向に移動させるためのものである。レンズ駆動装置１０は、Ｚ軸方向（光軸Ｏ方向）の下側（後側）に配置されたアクチュエータ・ベース１２を有する。このアクチュエータ・ベース１２の下部（後部）には、図示はしないが、基板に配置された撮像素子が搭載される。この撮像素子は、レンズアセンブリにより結像された被写体像を撮像して電気信号に変換する。撮像素子は、例えば、ＣＣＤ（charge coupled device）型イメージセンサ、ＣＭＯＳ（complementary metal oxide semiconductor）型イメージセンサ等により構成される。したがって、レンズ駆動装置１０と、基板と、撮像素子との組み合わせによって、カメラモジュールが構成される。
【００１９】
レンズ駆動装置１０は、レンズ組立体（バレル）を保持するための筒状部１４０を有するレンズホルダ１４と、このレンズホルダ１４に筒状部１４０の周囲に位置するように固定された駆動コイル１６と、この駆動コイル１６と対向する永久磁石１８と、永久磁石１８を内壁面に備えた外側ヨーク２０と、レンズホルダ１４の筒状部１４０の光軸Ｏ方向両側に設けられた一対の弾性部材２２、２４とを備える。レンズ組立体とレンズホルダ１４との組み合わせは、レンズ体と呼ばれる。
【００２０】
一対の弾性部材２２、２４は、レンズホルダ１４を径方向に位置決めした状態で光軸Ｏ方向に変位可能に支持する。一対の弾性部材２２、２４のうち、一方の弾性部材２２は上側弾性部材と呼ばれ、他方の弾性部材２４は下側弾性部材と呼ばれる、尚、図示の弾性部材は板バネから構成される。従って、上側弾性部材２２は上側板バネとも呼ばれ、下側弾性部材バネ２４は下側板バネとも呼ばれる。
【００２１】
また、前述したように、実際の使用状況においては、Ｚ軸方向（光軸Ｏ方向）の上方向が前方向、Ｚ軸方向（光軸Ｏ方向）の下方向が後方向となる。したがって、上側弾性部材（上側板バネ）２２は前側スプリングとも呼ばれ、下側弾性部材（下側板バネ）２４は後側スプリングとも呼ばれる。
【００２２】
図示の外側ヨーク２０は、四角筒状をしている。したがって、図示の駆動コイル１６も、四角筒状の外側ヨーク２０の形状に合わせた、実質的に四角筒状をしている。永久磁石１８は、ヨーク２０の四角筒の各角部に配置された、４個の矩形状の永久磁石片１８２から成る。
【００２３】
外側ヨーク２０は、四角筒形状の外筒部２０２と、この外筒部２０２の上端（前端）に設けられた四角形の外側リング端部２０４とを有する。外筒部２０２の内壁に上記永久磁石が備えられている。外側リング端部２０４は、光軸Ｏと同心の中心を持つ円形開口２０４ａを持つ。また、外側ヨーク２０は、その上端（前端）の四隅に、内側に凹んだ４つ凹部（段差部）２０６を有する。これら４つの凹部（段差部）２０６は、上側弾性部材２２の外周側端部２２４（後述する）を、永久磁石１８の上端との間に挟んで、上側弾性部材２２の外周側端部２２４を保持固定するためのものである。すなわち、これら４つの凹部（段差部）２０６は、上側弾性部材２２の外周側端部２２４を保持する保持部材として作用する。
【００２４】
図２に示されるように、外側ヨーク２０の外筒部２０２の内周面に、駆動コイル１６と間隔を置いて、永久磁石１８が配置されている。
【００２５】
上側弾性部材（上側板バネ，前側スプリング）２２はレンズホルダ１４における光軸Ｏ方向上側（前側）に配置され、下側弾性部材（下側板バネ、後側スプリング）２４はレンズホルダ１４における光軸Ｏ方向下端（後側）に配置される。上側弾性部材（上側板バネ、前側スプリング）２２と下側弾性部材（下側板バネ、後側スプリング）２４とは、略同一構成をしている。
【００２６】
上側弾性部材（上側板バネ、前側スプリング）２２は、レンズホルダ１４に取り付けられた内周側端部２２２と、外側ヨーク２０に取り付けられた外周側端部２２４と、内周側端部２２２と外周側端部２２４との間を連結するために周方向に沿って設けられた４つのアーム部（図示せず）とを有する。内周側端部２２２は円環状をしている。外周側端部２２４は、内周側端部２２２から離間して設けられ、内周側端部２２２よりも大きい四角環状をしている。各アーム部は周方向に沿って延出している。
【００２７】
同様に、下側弾性部材（下側板バネ、後側スプリング）２４は、レンズホルダ１４に取り付けられた内周側端部２４２と、外側ヨーク２０に取り付けられた外周側端部２４４と、内周側端部２４２と外周側端部２４４との間を連結するために周方向に沿って設けられた４つのアーム部（図示せず）とを有する。内周側端部２４２は円環状をしている。外周側端部２４４は、内周側端部２４２から離間して設けられ、内周側端部２４２よりも大きい四角環状をしている。各アーム部は周方向に沿って延出している。
【００２８】
尚、内周側端部２２２、２４２は内輪とも呼ばれ、外周側端部２２４、２４４は外輪とも呼ばれる。
【００２９】
上側弾性部材（上側板バネ、前側スプリング）２２の内周側端部２２２は、レンズホルダ１４とストッパ２６に挟持されて固定されている。換言すれば、ストッパ２６は、上側弾性部材（上側板バネ、前側スプリング）２２の内周側端部２２２を、レンズホルダ１４との間で挟持するように、レンズホルダ１４と嵌合する。一方、上側弾性部材（上側板バネ、前側スプリング）２２の外周側端部２２４は、外側ヨーク２０の４つの凹部（段差部）２０６と永久磁石１８の上端との間に挟持され固定されている。
【００３０】
ストッパ２６には、次に述べるような機能がある。すなわち、ストッパ２６は、上側弾性部材（上側板バネ、前側スプリング）２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側弾性部材（上側板バネ、前側スプリング）２２の接着強度を向上させる機能をもつ。これにより、レンズ駆動装置１０の耐衝撃性を向上させている。さらに、ストッパ２６は、レンズ駆動装置１０の落下衝撃の際の上側弾性部材（上側板バネ、前側スプリング）２２の変形を防止する機能を持つ。これによっても、レンズ駆動装置１０の耐衝撃性を向上させている。
【００３１】
一方、下側弾性部材（下側板バネ、後側スプリング）２４の外周側端部２４４は、スペーサ２８を介して内側ヨーク３０に固定されている。換言すれば、スペーサ２８と下側弾性部材（下側板バネ、後側スプリング）２４の外周側端部２４４とは、内側ヨーク３０と永久磁石１８の下端との間に挟持されて固定されている。下側弾性部材（下側板バネ、後側スプリング）２４の内周側端部２４２は、レンズホルダ１４の下端（後端）側に樹脂の接着力で固定されている。
【００３２】
駆動コイル１６に通電することで、永久磁石１８の磁界と駆動コイル１６に流れる電流による磁界との相互作用によって、レンズホルダ１４（レンズア組立体）を光軸Ｏ方向に位置調整することが可能である。
【００３３】
尚、内側ヨーク３０は、外側ヨーク２０の外筒部２０２の内壁に下端で取り付けられた四角環状の内側リング端部３０２と、この内側リング端部３０２の四隅の内側で光軸Ｏと平行に垂直上方へ延在する４つの垂直延在部３０４とを有する。
【００３４】
アクチュエータ・ベース１２上に内側ヨーク３０の内側リング端部３０２が搭載され、この内側ヨーク３０の内側リング端部３０２上にスペーサ２８が搭載され、スペーサ２８上に下側弾性部材（下側板バネ、後側スプリング）２４の外周側端部２４４が搭載されている。そして、内側ヨーク３０の４つの垂直延在部３０４は、下側弾性部材（下側板バネ、後側スプリング）２４の外周側端部２４４と内周側端部２４２との間の隙間を介して、垂直に上方へ延在している。
【００３５】
また、図２に示されるように、外側ヨーク２０の外側リング端部２０４の内壁には、円環状の緩衝材３２が固着されている。緩衝材３２は、外側リング端部２０４の円形開口２０４ａと同心である。緩衝材３２は、この円形開口２０４ａの直径よりも大きい外径を持ち、円形開口２０４ａの直径よりも小さい内径を持つ。
【００３６】
このように、上側弾性部材２２と下側弾性部材２４は、外側ヨーク１０の内部に収容されている。そのため、上記特許文献１に開示されているような従来のレンズ駆動装置において必要であった、弾性部材（バネ部材）をヨークの外側で固定するための固定部材が不要となる。
【００３７】
詳述すると、従来のレンズ駆動装置では、バネ部材（弾性部材）がヨークの外側に配置されている。そのため、バネ部材（弾性部材）を固定するための固定部材がヨークの外側に必要となる。これに対して、本実施の形態によるレンズ駆動装置２０は、上側弾性部材２２と下側弾性部材２４を外側ヨーク１０の内部に収容しているので、外側ヨークを覆う固定部材（カバー）が不要となる。また、固定部材（カバー）が不要であるので、部品点数を少なくでき、レンズ駆動装置２０の小型化を図ることができる。
【００３８】
永久磁石１８と外側ヨーク２０と内側ヨーク３０によって磁気回路が構成される。そして、外側ヨーク２０において、外側リング端部２０４は光軸Ｏ対物側の面を形成し、外筒部２０２は側面を形成している。すなわち、光軸Ｏ対物側の面及び側面が、磁気回路の一部でかつシールド性能を持つ強磁性材の外側ヨーク２０によって形成されている。外側リング端部２０４に形成された円形開口２０４ａは、カメラモジュールで必要とされる画角から割り出した最小径の孔である。このように、本実施の形態に係るレンズ駆動装置２０は、その外観が外側ヨーク２０で覆われているので、防塵性に優れている。更に、本実施の形態では、外側ヨーク２０とは別に、強磁性部品としての内側ヨーク３０を備えている。内側ヨーク３０の４つの垂直延在部３０４と永久磁石１８との間の空間に、駆動コイル１６が配置されている。
【００３９】
尚、図４に示されるように、上側弾性部材２２の外周側端部２２４を保持固定するために、外側ヨーク２０は凹部（段差部）２０６を備えている。そのため、外側ヨーク２０の形状は複雑である。
【００４０】
そのため、複雑な形状の外側ヨーク２０の代わりに、図５に示されるような、凹部（段差部）２０６の無い外側ヨーク２０Ａを用いても良い。図５に示された外側ヨーク２０Ａは、四角筒形状の外筒部２０２Ａと、この外筒部２０２Ａの上端（前端）に設けられた四角形の外側リング端部２０４Ａとを有する。外側リング端部２０４Ａは、光軸Ｏと同心の中心を持つ円形開口２０４ａを持つ。
【００４１】
外側ヨーク２０Ａは、図４に示されるような、凹部（段差部）２０６が無い。その代わりに、外側ヨーク２０Ａの内壁の角部には、図５に示されるような、環状のスペーサ３４が設けられる。従って、この環状のスペーサ３４に、上側弾性部材２２の外周側端部２２４が保持固定される。尚、スペーサ３４は、環状には限定されず、複数個所に設けるようにしても良い。
【００４２】
以上、本発明についてその好ましい実施の形態によって説明してきたが、本発明の精神を逸脱しない範囲内で、種々の変形が当業者によって可能であるのは明らかである。例えば、アクチュエータ・ベース１２を外側ヨークで覆うようにしても良い。
【図面の簡単な説明】
【００４３】
【図１】本発明の第１の実施の形態によるレンズ駆動装置の外観斜視図である。
【図２】図１に示したレンズ駆動装置の断面斜視図である。
【図３】図１に示したレンズ駆動装置の分解斜視図である。
【図４】図１に示したレンズ駆動装置に使用される外側ヨークと上側弾性部材の左半分のみを、拡大して示す断面図である。
【図５】本発明の第２の実施の形態によるレンズ駆動装置に使用される外側ヨークと上側弾性部材の左半分のみを、拡大して示す断面図である。
【符号の説明】
【００４４】
１０    レンズ駆動装置
１２    アクチュエータ・ベース
１４    レンズホルダ
１４０    筒状部
１６    駆動コイル
１８    永久磁石
２０、２０Ａ    外側ヨーク
２０２、２０２Ａ    外筒部
２０４、２０４Ａ    外側リング端部
２０４ａ    円形開口
２０６    凹部（段差部）
２２    上側弾性部材
２２２    内周側端部（内輪）
２２４    外周側端部（外輪）
２４    下側弾性部材
２４２    内周側端部（内輪）
２４４    外周側端部（外輪）
２６    ストッパ
２８    スペーサ
３０    内側ヨーク
３０２    内側リング端部
３０４    垂直延在部
３２    緩衝材
３４    スペーサ
Ｏ    光軸
【図１】
0005105080.tif 000002
【図２】
0005105080.tif 000003
【図３】
0005105080.tif 000004
【図４】
0005105080.tif 000005
【図５】
0005105080.tif 000006